(57)【要約】【課題】キーボードの光学的装飾性を高める。【解決手段】電子機器は、第１の波長の光を発する光源と、前記光源からの光に励起されて、第２の波長の可視光を発する第１の光反応部と、前記光源と前記第１の光反応部との間に配置され、前記第１の波長の光を透過させ、前記第１の光反応部が発した前記第２の波長の可視光を遮蔽するフィルタ部と、前記第１の光反応部が発した前記第２の波長の可視光の一部を透過させる光透過部を有するカバー部とを具備する。【選択図】図４
2014041440.tif 000002
【特許請求の範囲】
【請求項１】
第１の波長の光を発する光源と、
前記光源からの光に励起されて、第２の波長の可視光を発する第１の光反応部と、
前記光源と前記第１の光反応部との間に配置され、前記第１の波長の光を透過させ、前記第１の光反応部が発した前記第２の波長の可視光を遮蔽するフィルタ部と、
前記第１の光反応部が発した前記第２の波長の可視光の一部を透過させる光透過部を有するカバー部と
を具備する電子機器。
【請求項２】
請求項１に記載の電子機器であって、
前記光透過部は、前記光第１の反応部を挟んで、前記フィルタ部と反対側に位置する
電子機器。
【請求項３】
請求項２に記載の電子機器であって、
前記カバー部は、ユーザにより操作される操作面を有し、
前記光透過部は、前記操作面に設けられる
電子機器。
【請求項４】
請求項３に記載の電子機器であって、
前記光源は、前記第１の波長の光として不可視光を発する
電子機器。
【請求項５】
請求項４に記載の電子機器であって、
前記光源と前記フィルタ部との間に配置され、前記光源からの前記第１の波長の光に励起されて、前記第２の波長の可視光と異なる第３の波長の可視光を発する第２の光反応部をさらに具備し、
前記フィルタ部は、さらに、前記第２の光反応部が発した前記第３の波長の可視光を遮蔽する
電子機器。
【請求項６】
請求項４に記載の電子機器であって、
前記フィルタ部は、前記第１の光反応部が発した前記第２の波長の可視光の一部を透過させる
電子機器。
【請求項７】
第１の波長の光を発する光源と、
前記光源からの光に励起されて、第２の波長の可視光を発する第１の光反応部と、
前記光源と前記第１の光反応部との間に配置され、前記第１の波長の光を透過させ、前記第１の光反応部が発した前記第２の波長の可視光を遮蔽するフィルタ部と、
前記第１の光反応部が発した前記第２の波長の可視光の一部を透過させる光透過部を有するカバー部と
を具備する照明装置。
【請求項８】
光源が、第１の波長の光を発し、
第１の光反応部が、前記光源からの光に励起されて、第２の波長の可視光を発し、
前記光源と前記第１の光反応部との間に配置されたフィルタ部が、前記第１の波長の光を透過させ、前記第１の光反応部が発した前記第２の波長の可視光を遮蔽し、
カバー部に設けられた光透過部が、前記第１の光反応部が発した前記第２の波長の可視光の一部を透過させる
照明方法。
【請求項９】
カバー部の一面に、第１の波長の光に励起されて第２の波長の可視光を発する第１の光反応部を積層し、
前記第１の光反応部に、前記第１の波長の光を透過させ、前記第１の光反応部が発した前記第２の波長の可視光を遮蔽するフィルタ部を積層し、
前記カバー部に、前記第１の光反応部が発した前記第２の波長の可視光の一部を透過させる光透過部を形成する
照明装置の製造方法。
【発明の詳細な説明】
【技術分野】
【０００１】
本技術は、キーボードを有する電子機器と、電子機器のキーボードに適用可能な照明装置と、この照明装置による照明方法と、この照明装置の製造方法とに関する。
【背景技術】
【０００２】
キーボードのキートップ本体を不透明とし、キートップ上の文字や符号を透明とし、このキーボードにバックライトを照射して、文字や符号を照明するキーボード（バックライトキーボード）を有する電子機器が知られている（例えば、特許文献１及び特許文献２参照。）。
【先行技術文献】
【特許文献】
【０００３】
【特許文献１】特開２００８−７１７３５号公報
【特許文献２】特開２０１０−１７０８２５号公報
【発明の概要】
【発明が解決しようとする課題】
【０００４】
キーボード等の電子機器においては、高級感や美感を高めるために、光学的装飾性をさらに高めることが期待される。
【０００５】
以上のような事情に鑑み、本技術の目的は、キーボードの光学的装飾性をさらに高めることが可能な電子機器と、この電子機器のキーボードに適用可能な照明装置と、この照明装置による照明方法と、この照明装置の製造方法とを提供することにある。
【課題を解決するための手段】
【０００６】
本技術の一形態に係る電子機器は、第１の波長の光を発する光源と、前記光源からの光に励起されて、第２の波長の可視光を発する第１の光反応部と、前記光源と前記第１の光反応部との間に配置され、前記第１の波長の光を透過させ、前記第１の光反応部が発した前記第２の波長の可視光を遮蔽するフィルタ部と、前記第１の光反応部が発した前記第２の波長の可視光の一部を透過させる光透過部を有するカバー部とを具備する。
【０００７】
前記光透過部は、前記光第１の反応部を挟んで、前記フィルタ部と反対側に位置してもよい。
【０００８】
前記カバー部は、ユーザにより操作される操作面を有し、前記光透過部は、前記操作面に設けられてもよい。
【０００９】
前記光源は、前記第１の波長の光として不可視光を発してもよい。
【００１０】
電子機器は、前記光源と、前記フィルタ部との間に配置され、前記光源からの前記第１の波長の光に励起されて、前記第２の波長の可視光と異なる第３の波長の可視光を発する第２の光反応部をさらに具備し、前記フィルタ部は、さらに、前記第２の光反応部が発した前記第３の波長の可視光を遮蔽してもよい。
【００１１】
前記フィルタ部は、前記第１の光反応部が発した前記第２の波長の可視光の一部を透過させてもよい。
【００１２】
本技術の一形態に係る照明装置は、第１の波長の光を発する光源と、前記光源からの光に励起されて、第２の波長の可視光を発する第１の光反応部と、前記光源と前記第１の光反応部との間に配置され、前記第１の波長の光を透過させ、前記第１の光反応部が発した前記第２の波長の可視光を遮蔽するフィルタ部と、前記第１の光反応部が発した前記第２の波長の可視光の一部を透過させる光透過部を有するカバー部とを具備する。
【００１３】
本技術の一形態に係る照明方法は、光源が、第１の波長の光を発し、第１の光反応部が、前記光源からの光に励起されて、第２の波長の可視光を発し、前記光源と前記第１の光反応部との間に配置されたフィルタ部が、前記第１の波長の光を透過させ、前記第１の光反応部が発した前記第２の波長の可視光を遮蔽し、カバー部に設けられた光透過部が、前記第１の光反応部が発した前記第２の波長の可視光の一部を透過させる。
【００１４】
本技術の一形態に係る照明装置の製造方法は、カバー部の一面に、第１の波長の光に励起されて第２の波長の可視光を発する第１の光反応部を積層し、前記第１の光反応部に、前記第１の波長の光を透過させ、前記第１の光反応部が発した前記第２の波長の可視光を遮蔽するフィルタ部を積層し、前記カバー部に、前記第１の光反応部が発した前記第２の波長の可視光の一部を透過させる光透過部を形成する。
【発明の効果】
【００１５】
以上のように、本技術によれば、光学的装飾性を高めた電子機器、照明装置を提供することができる。
【図面の簡単な説明】
【００１６】
【図１】従来技術に係る典型的なバックライトキーボードを示す模式図である。
【図２】第１の実施形態に係る電子機器の一例を示す斜視図である。
【図３】バックライトキーボードの構成を示す模式図である
【図４】キートップの構成を示す断面図である。
【図５】キートップの製造方法を示す模式図である。
【図６】従来技術に係る別のバックライトキーボードを示す模式図である。
【図７】第２の実施形態に係るバックライトキーボードの構成を示す模式図である。
【図８】バンドパスフィルタの透過波長を示す図である。
【図９】第３の実施形態に係るキートップの構成を示す模式図である。
【図１０】第４の実施形態に係るキートップの構成を示す模式図である。
【図１１】バンドパスフィルタの透過波長を示す図である。
【図１２】変形例４のキートップを示す模式図である。
【図１３】変形例５のキートップを示す模式図である。
【図１４】変形例６のキートップを示す模式図である。
【図１５】変形例７のキートップを示す模式図である。
【図１６】変形例８のキートップを示す模式図である。
【図１７】変形例９のキートップを示す模式図である。
【図１８】変形例１０のキートップを示す模式図である。
【発明を実施するための形態】
【００１７】
以下、本技術に係る実施形態を、図面を参照しながら説明する。
【００１８】
＜第１の実施形態＞
［電子機器の構成］
図２は、第１の実施形態に係る電子機器の一例を示す斜視図である。
本実施形態では、電子機器としてノート型のパーソナルコンピュータ（Personal Computer。以下、単にＰＣと呼ぶ）を一例に挙げて説明する。
【００１９】
ＰＣ１は、本体部２と、表示部３とを有する。本体部２と表示部３とは、ヒンジ４、４により相対的に回動可能に連結される。表示部３は、表示部３が本体部２に対して閉じたとき本体部２に対面する領域に、表示画面３ａを有する。本体部２は、表示部３が本体部２に対して閉じたとき表示部３に対面する領域に、バックライトキーボード１００と、ユーザが入力操作時に手首を置くためのパームレスト２ｂと、非接触型ＩＣ（Integrated Circuit）カード用アンテナ２ｃと、スライド式のスイッチ７とを有する。本体部２は、さらに、本体部２の側面に、電源スイッチ２ｄと、外部ディスプレイ出力端子２ｅと、ＵＳＢ（Universal Serial Bus）コネクタ２ｆと、ディスクドライブ（図示せず）のディスク出入口２ｇと、マイク入力端子２ｈと、ヘッドホン出力端子２ｉとを有する。本体部２は、内部に、ＣＰＵ（Central Processing Unit）、ＲＯＭ（Read Only Memory）、ＲＡＭ（Random Access Memory）、不揮発性メモリ（ＨＤＤ（Hard Disk Drive）、フラッシュメモリ、その他の固体メモリ）、マザーボード等をさらに備える（図示せず）。
【００２０】
［本実施形態のバックライトキーボードの構成］
図３は、本実施形態のバックライトキーボードの構成を示す模式図である。
バックライトキーボード１００（照明装置）の最上部には、複数のキートップ１１０が設けられる。各キートップ１１０の内部には、押圧力により上下動するパンタグラフ１２０等が設けられる。パンタグラフ１２０は、各パンタグラフに対応して設けられた複数の開口を有するプレート１４０の各開口１４１から露出する。複数のキートップ１１０の下方には、メンブレンスイッチ（図示せず）が設けられる。各キートップ１１０が押圧されると、そのキートップ１１０の直下に位置するメンブレンスイッチの接点が閉じ、電気的に導通し、押圧されたキーの情報がＣＰＵに伝達される。
【００２１】
メンブレンスイッチの下方には、光源ユニット１３０（光源）が配置される。光源ユニット１３０は、発光部１３１と、導光板１３２と、拡散板１３３をと有する。
【００２２】
発光部１３１は、導光板１３２の側面に配置され、導光板１３２の内部に、不可視波長である紫外線（ＵＶ：Ultra Violet）光（以下、ＵＶ光と呼ぶ）を発する。
【００２３】
導光板１３２は、全てのキートップ１１０に対向するように設けられる。導光板１３２は、例えば、光透過性能が高いアクリル板材で形成される。導光板１３２の上下内面には、微小な凹凸が形成される。発光部１３１が発したＵＶ光（破線）は、上下内面の凹凸で反射を繰り返しながら、導光板１３２の中を進む。これにより、導光板１３２全体にＵＶ光が行き渡る。
【００２４】
拡散板１３３は、導光板１３２の下面の、例えば、各キートップ１１０に対応する位置に設けられる。拡散板１３３の表面には、均一に光るように大きさを設計された印刷ドットが形成される。レンズアレイの屈折作用により、それぞれのキートップ１１０の裏面にＵＶ光を拡散させる。以上のように、光源ユニット１３０は、キートップ１１０に対してＵＶ光（第１の波長の光）を発する。
【００２５】
［キートップの構成］
図４は、キートップの構成を示す断面図である。
キートップ１１０は、バンドパスフィルタ１１３と、ＵＶ光反応層１１２と、基材１１１と、光透過層１１４と、光透過孔１１６を有する光不透過層１１５とが、この順に下層（光源ユニット１３０に対向する側）から上層（ＰＣ１の本体部２から露出する側）へと積層されてなる。
【００２６】
基材１１１は、可視光を透過可能である。
【００２７】
ＵＶ光反応層１１２（第１の光反応部）は、基材１１１の裏面（光源ユニット１３０に対向する側の面）に積層される。ＵＶ光反応層１１２は、光源ユニット１３０からのＵＶ光（破線）（第１の波長の光）に励起されて可視光（実線）（第２の波長の可視光）を発する。
【００２８】
バンドパスフィルタ１１３（フィルタ部）は、ＵＶ光反応層１１２の下層に設けられる。バンドパスフィルタ１１３は、光源ユニット１３０からのＵＶ光を透過させてＵＶ光反応層１１２に到達させる。さらに、バンドパスフィルタ１１３は、透過させたＵＶ光に励起されてＵＶ光反応層１１２が発した可視光を遮蔽する。
【００２９】
光透過層１１４は、基材１１１の表面に塗装されることで形成される。光透過層１１４は、基材１１１を透過した、ＵＶ光反応層１１２がＵＶ光に励起されて発した可視光を透過させる。
【００３０】
光不透過層１１５は、光透過層１１４に塗装されることで形成される。光不透過層１１５は、光透過層１１４を透過した可視光を透過させず、可視光がキートップ１１０の外部に漏れるのを防ぐ。基材１１１、光透過層１１４及び光不透過層１１５により、キートップ１１０のカバー部１１９が構成される。
【００３１】
カバー部１１９は、ユーザより操作される操作面１１９Ａと、操作面１１９Ａから光源ユニット１３０が位置するに突出する側面１１９Ｂとを有する。操作面１１９Ａには、光透過部１１６が設けられる。
【００３２】
具体的には、光透過孔１１６（光透過部）は、例えばレーザエッチングにより光不透過層１１５が部分的に除去されて形成される。具体的には、光透過孔１１６は、キートップ１１０表面の文字や符号部分である。光透過孔１１６は、光透過層１１４を透過した可視光を透過させ、可視光の一部をキートップ１１０への外部へと導出する。これにより、光透過孔１１６である文字や符号部分が可視的に発光する。
【００３３】
なお、以下の図において、図面の簡略化のため、基材１１１、光透過層１１４及び光不透過層１１５の区別を省略し、これらをカバー部１１９としてまとめて表記する場合がある。この場合において、光透過孔１１６は光不透過層１１５にのみ形成されているが、基材１１１及び光透過層１１４も光を透過させる機能を有するため、カバー部１１９全体に、光を透過させる連続した機能的部位としての光透過孔１１６を表記する。
【００３４】
［キートップの製造方法］
図５は、キートップの製造方法を示す模式図である。
可視光を透過可能な基材１１１を準備する（ＳＴ１）。基材の裏面に、ＵＶ光に励起されて可視光を発する塗料を塗布し硬化させることで、ＵＶ光反応層１１２を形成する（ＳＴ２）。ＵＶ光反応層１１２の裏面に、ＵＶ光を透過させ、可視光を遮蔽するバンドパスフィルタ１１３を形成する（ＳＴ３）。バンドパスフィルタ１１３は、塗料を塗布し硬化させることで、あるいは、フィルムを貼付することで形成される。基材１１１の表面及び側面に、可視光を透過可能な塗布し硬化させることで、光透過層１１４を形成する（ＳＴ４）。光透過層１１４の表面に、可視光を透過不能な塗布し硬化させることで、光不透過層１１５を形成する（ＳＴ５）。レーザエッチングにより光不透過層１１５を部分的に（文字や符号の形に）除去することで、光透過孔１１６を形成する（ＳＴ６）。光透過孔１１６が形成された光不透過層１１５の表面に、トップコート１１７を塗布し硬化させる（ＳＴ７）。
【００３５】
［第１の実施形態の効果］
キーボードのキートップ本体を不透明とし、キートップの文字や符号を透明とし、このキーボードにバックライトを照射して、文字や符号を照明するキーボード（バックライトキーボード）を有する電子機器が知られている（例えば、特許文献１及び特許文献２参照。）。
【００３６】
図１は、典型的なバックライトキーボードを示す模式図である。
典型的なバックライトキーボード５００は、キートップ５１０と、可視光（実線）を発する光源ユニット５３０とを有する。キートップ５１０は、カバー部５１９と、光透過孔５１６とを有する。なお、本図及び以下に説明する図において、各光源ユニットを単純化して図示するが、実際には、各光源ユニットは、図３の光源ユニット１３０と同様の構成を有し、同様の位置に配置される。
【００３７】
このバックライトキーボード５００では、光源ユニット５３０が発した可視光の一部は、光透過孔５１６を通過し、キートップ５１０の外部へと導出される。一方、光源ユニット５３０から発した可視光の他の一部は、キートップ５１０とプレート（図示せず、図３のプレート１４０に相当）との隙間からキートップ５１０の周囲に漏れ出ることがある。その結果、キートップ５１０の周囲が発光するため、キートップ５１０表面の文字や符号に対して逆光となり、文字や符号の視認性が低下するおそれがある。また、発光する文字や符号の光のコントラストが低下し、美感が低下するおそれがある。
【００３８】
これに対して、本実施形態に係るバックライトキーボード１００は、キートップ１１０とプレート１４０（図３）との隙間からキートップ１１０の周囲に光が漏れ出るのを防ぐことが可能である、という効果を奏する。より具体的には、本実施形態に係るバックライトキーボード１００は、次のような効果を奏する。
【００３９】
（１）ＵＶ光反応層１１２がＵＶ光に励起されて発した可視光の一部は、キートップ１１０の下方へと進む。この可視光は、ＵＶ光反応層１１２の下層であるバンドパスフィルタ１１３により遮蔽される。このため、可視光がキートップ１１０とプレート１４０との隙間からキートップ１１０の周囲に漏れ出るおそれがない。
（２）光源ユニット１３０が発した光の一部は、バンドパスフィルタ１１３に到達せず、カバー部１１９の側面１１９Ｂの端部１１９Ｃへと進む。もし、光源ユニット１３０が発する光が可視光である場合、可視光がカバー部１１９の端部１１９Ｃとプレート１４０との隙間からキートップ１１０の周囲に漏れ出てしまう。しかし、本実施形態では、光源ユニット１３０は、不可視波長であるＵＶ波長の光を発する。このため、可視光がカバー部１１９の端部１１９Ｃとプレート１４０との隙間からキートップ１１０の周囲に漏れ出るおそれがない。
（３）このように、可視光がカバー部１１９の端部１１９Ｃからキートップ１１０とプレート１４０との隙間からキートップ１１０の周囲に漏れ出るおそれがない。このため、キートップ１１０表面の文字や符号の発光に対して逆光が発生せず、文字や符号の視認性が向上する。その結果、発光する文字や符号の光のコントラストが向上し、美感が向上する。
（４）以上のように本実施形態によれば、調光による機器の光学的装飾性の向上を図れる。
【００４０】
＜第２の実施形態＞
以下、すでに説明した構成や機能等と同様の構成や機能等は説明を省略し、異なる点を中心に説明する。
【００４１】
［キートップの構成］
図７は、第２の実施形態に係るバックライトキーボードの構成を示す模式図である。
バックライトキーボード２００は、キートップ２１０と、青色ＬＥＤ（Light Emitting Diode）から可視光である青色光を発する光源ユニット２３０とを有する。キートップ２１０は、カバー部２１９と、カバー部２１９の下層に位置する青色光反応層２１２と、カバー部２１９に設けられた光透過孔２１６と、青色光反応層２１２の下層に設けられたバンドパスフィルタ２１３とを有する。
【００４２】
図８は、バンドパスフィルタの透過波長を示す図である。
バンドパスフィルタ２１３は、青色波長（４５０〜４９５ｎｍ）の光を透過させ、他の波長の光を遮蔽する。
【００４３】
青色光反応層２１２は、光源ユニット２３０からの青色光（破線）に励起されて黄色光を発する。青色光反応層２１２が発光する黄色光は、光源ユニット２３０からの青色光と混ざり、擬似白色光（実線）となる。擬似白色光は、光透過孔２１６を通過し、キートップ２１０の外部へと導出される。
【００４４】
一方、光源ユニット２３０からの青色光の一部は、青色光反応層２１２の表面で反射する。青色光反応層２１２の表面で反射する光は、青色光反応層２１２が青色光に励起されることで、黄色光として反射する。
青色光反応層２１２の表面で反射して黄色光（実線）となった光は、バンドパスフィルタ２１３により遮蔽される。このため、黄色光がキートップ２１０の周囲に漏れ出るおそれがない。その結果、光源ユニット２３０が発する、可視光である青色光（破線）（第１の波長の光）の一部は、青色光のままキートップ２１０から発光するが、この青色光は黄色光の干渉を受けることが無い。これにより、濁りのない青色光をキートップ２１０の周囲から発光させることができる。また、１つの反応層２１２と１つのバンドパスフィルタ２１３という単純な構成で、光透過孔２１６（光透過部）からの光の色（擬似白色）と、キートップ２１０の周囲からの光の色（青色）とを異ならせることができる。かつ、それぞれの光の色を濁りのないものにすることができ、美感が向上する。
【００４５】
［第２の実施形態の効果］
図６は、典型的なバックライトキーボードを示す模式図である。
バックライトキーボード６００は、図７の構成から、バンドパスフィルタ２１３を除いた構成を有する。
【００４６】
光源ユニット６３０からの青色光の一部は、青色光反応層６１２の表面で反射する。青色光反応層６１２の表面で反射する光は、青色光反応層６１２が青色光に励起されることで、黄色光として反射する。反射した黄色光は、キートップ６１０の周囲に漏れ出る。一方、光源ユニット６３０からの青色光の一部は、青色光反応層６１２に到達せずに青色光のままキートップ６１０の周囲に漏れ出る。すなわち、黄色光と青色光とが、キートップ６１０の周囲に漏れ出る。その結果、キートップ６１０の周囲に漏れ出る黄色光及び青色光が互いに干渉して擬似白色光（実線）となる。その結果、例えば、黄色光より青色光の光量が多い場合には、光源ユニット６３０が発する青色光そのものではなく、擬似白色光によって白く薄く濁った青色光が、キートップ６１０の周囲に漏れ出ることとなる。
【００４７】
このように、従来技術によれば、光透過孔６１６から発せられる光の色と、キートップ６１０の周囲から発せられる光の色とを異ならせることを図ることができる。しかしながら、上述のように、青色光反応層６１２で反射する黄色光と、光源ユニット６３０からの青色光とが干渉することで、キートップ６１０の周囲から発せられる青色光が濁ってしまう。
【００４８】
これに対して、本実施形態に係るバックライトキーボード３００は、キートップ周辺から発せられる光が、他の光からの干渉を受けない、という効果を奏する。
すなわち、本実施形態の構成によっても、調光による機器の光学的装飾性の向上を図れる。
【００４９】
＜第３の実施形態＞
第３の実施形態では、第２の実施形態とは異なる構成で、光透過孔からの光の色（文字色）と、キートップの周囲からの光の色とを異ならせ、かつ、それぞれの光の色を濁りのないものにすることを目的とする。
【００５０】
［キートップの構成］
図９は、第３の実施形態に係るキートップの構成を示す模式図である。
キートップ３１０は、第２のＵＶ光反応層３１８と、バンドパスフィルタ３１３と、第１のＵＶ光反応層３１２と、光透過孔３１６を有するカバー部３１９とがこの順に下層から上層へと積層されてなる。
【００５１】
第１のＵＶ光反応層３１２は、光透過層３１４の下層に設けられる。第１のＵＶ光反応層３１２は、ＵＶ光（破線）（第１の波長の光）に励起されて、第２の波長の可視光（実線）を発する。第１のＵＶ光反応層３１２が発した第２の波長の可視光の一部は、光透過層３１４及び光透過孔３１６（光透過部）を透過して、キートップ３１０の外部へと導かれる。これにより、光透過孔３１６である文字や符号部分が第２の波長の可視光で発光する。
【００５２】
第２のＵＶ光反応層３１８は、バンドパスフィルタ３１３を挟んで第１のＵＶ光反応層３１２の下層に設けられる。第２のＵＶ光反応層３１８は、光源ユニット３３０からのＵＶ光（破線）（第１の波長の光）に励起されて、第２の波長の可視光と異なる波長（色）の第３の波長の可視光（一点鎖線）を発する。第２のＵＶ光反応層３１８が発した第３の波長の可視光の一部は、キートップ３１０の周囲から発光する。
【００５３】
バンドパスフィルタ３１３は、第１のＵＶ光反応層３１２と、第２のＵＶ光反応層３１８との間に位置する。バンドパスフィルタ３１３は、光源ユニット３３０からのＵＶ光を透過させて第１のＵＶ光反応層３１２に到達させる。また、バンドパスフィルタ３１３は、透過させたＵＶ光に励起されて第１のＵＶ光反応層３１２が発した第２の波長の可視光を遮蔽する。さらに、バンドパスフィルタ３１３は、光源ユニット３３０からのＵＶ光に励起されて第２のＵＶ光反応層３１８が発した第３の波長の可視光を遮蔽する。
【００５４】
[第３の実施形態の効果]
（１）第２のＵＶ光反応層３１８がＵＶ光に励起されて発した第３の波長の可視光の一部は、バンドパスフィルタ３１３に遮蔽される。これにより、第３の波長の可視光が光透過孔３１６から漏れ出るおそれがない。これにより、光透過孔３１６を透過する光が第２の波長の可視光だけであるため、第２の波長の可視光が第３の波長の可視光の干渉を受けることが無い。これにより、濁りのない第２の波長の可視光を光透過孔３１６から発することができる。
（２）第１のＵＶ光反応層３１２がＵＶ光に励起されて発した第２の波長の可視光の一部は、第１のＵＶ光反応層３１２の下層であるバンドパスフィルタ３１３により遮蔽される。このため、第２の波長の可視光がキートップ３１０の周囲に漏れ出るおそれがない。これにより、キートップ３１０の周囲から発光する光が第３の波長の可視光だけであるため、第３の波長の可視光が第２の波長の可視光の干渉を受けることが無い。これにより、濁りのない第３の波長の可視光をキートップ３１０の周囲から発することができる。
（３）第１のＵＶ光反応層３１２としての塗料と、第２のＵＶ光反応層３１８としての塗料とを任意に選択して、任意の色の光を発することができる。単一発光部で複数の色の光を生成することが可能であるため、例えば、異なる複数の色に応じて専用色発光部を設ける構成に比べて、発光部の数を少なくすることが出来る。
以上のように、本実施形態の構成によれば、調光による機器の光学的装飾性の向上を図れる。
【００５５】
＜第４の実施形態＞
第４の実施形態では、第２の実施形態及び第３の実施形態とは異なる構成で、光透過孔からの光の色（文字色）と、キートップの周囲からの光の色とを異ならせ、かつ、それぞれの光の色を濁りのないものにすることを目的とする。
【００５６】
［キートップの構成］
図１０は、第４の実施形態に係るキートップの構成を示す模式図である。
キートップ４１０は、バンドパスフィルタ４１３と、ＵＶ光反応層４１２と、光透過孔４１６を有するカバー部４１９とがこの順に下層から上層へと積層されてなる。
【００５７】
図１１は、バンドパスフィルタの透過波長を示す図である。
バンドパスフィルタ４１３は、ＵＶ光と、可視光の一部とを波長選択的に透過させ、他の波長の光を遮蔽する。例えば、バンドパスフィルタ４１３は、ＵＶ光（具体的には、例えば、ＵＶＢ（２８０〜３１５ｎｍ）及びＵＶＡ（３１５〜４００ｎｍ））と、赤色光（６２０〜７５０ｎｍ）とを透過させる。これにより、バンドパスフィルタ４１３は、光源ユニット４３０からのＵＶ光を透過させてＵＶ光反応層４１２に到達させる。加えて、バンドパスフィルタ４１３は、透過させたＵＶ光に励起されてＵＶ光反応層４１２が発した可視光（白色光）のうち、赤色光を透過させる。
【００５８】
ＵＶ光（破線）（第１の波長の光）に励起されてＵＶ光反応層４１２が発した可視光（白色光、実線）の一部は、光透過孔４１６（光透過部）を通過し、キートップ４１０の外部へと導出される。一方、ＵＶ光反応層４１２が発した可視光（白色光）の一部は、バンドパスフィルタ４１３に進入する。バンドパスフィルタ４１３は、この可視光（白色光）の成分のうち、赤色光（一点鎖線）を透過させ、他の波長の可視光を遮蔽する。その結果、赤色光だけがバンドパスフィルタ４１３を透過して、キートップ４１０の周囲に漏れ出る。
【００５９】
このように、本実施形態によっても、光透過孔４１６からの光の色（文字色）と、キートップ４１０の周囲に漏れる光の色とを異ならせることができ、それぞれの光が他の光の干渉を受けて濁りを発生しない。また、１つの反応層４１２と１つのバンドパスフィルタ４１３という単純な構成で、光透過孔４１６からの光の色（文字色）と、キートップ４１０の周囲に漏れるからの光の色とを異ならせ、かつ、それぞれの光の色を濁りのないものにすることができる。任意の透過波長特性を有するバンドパスフィルタ４１３を選択することで、任意の色の光をキートップ４１０の周囲へと発光させることができる。
すなわち、本実施形態の構成によっても、調光による機器の光学的装飾性の向上を図れる。
【００６０】
＜変形例１＞
発光部に、発光部から発する微弱な紫波長の可視光を遮蔽するバンドパスフィルタを取り付けてもよい。これにより、微弱な可視光がキートップの周囲に漏れ出るおそれがない。
【００６１】
＜変形例２＞
複数のキートップの基材（第１の基材及び第２の基材）に対して、異なる色の光をそれぞれ発する第１のＵＶ光反応層及び第２のＵＶ光反応層をそれぞれ設けてもよい。これにより、キートップ毎に文字色を異ならせることができる。
【００６２】
あるいは、１つのキートップ内の複数の文字や符号としての複数の光透過部に対応して、異なる色の光をそれぞれ発する第１のＵＶ光反応層及び第２のＵＶ光反応層をそれぞれ設けてもよい。これにより、１つのキートップ内の文字や符号の色同士を異ならせることができる。このように、異なる色の光をそれぞれ発する第１のＵＶ光反応層及び第２のＵＶ光反応層を用いることで、単一発光部で文字や符号の色を任意に設定できる。また、ＵＶ光反応層として塗布する塗料を任意に選択することで、デザインに応じた色の文字調色が可能である。
以上の変形例によっても、調光による機器の光学的装飾性の向上を図れる。
【００６３】
＜変形例３＞
第１の実施形態では、基材に、ＵＶ光に励起されて可視光を発する塗料を塗布することで、ＵＶ光反応層を形成した。これに代えて、塗料は、基材の材料として基材に含まれるようにしてもよい。すなわち、塗料が混ぜ込まれた材料を用いて基材を製造してもよい。
【００６４】
＜変形例４〜変形例１０＞
変形例４〜変形例１０は、第１の実施形態のキートップ１１０の変形例である。第１の実施形態では、ＵＶ光反応層１１２が発した可視光を、ＵＶ光反応層１１２の下層に位置するバンドパスフィルタ１１３が遮蔽することにより、可視光がキートップ１１０キートップ１１０の周囲に漏れ出るのを防止する。従って、第１の実施形態で示した具体的な積層順に限定されず、少なくとも、バンドパスフィルタ１１３がＵＶ光反応層１１２の下層に位置すれば、ＵＶ光反応層１１２が発する可視光がキートップ１１０の周囲に漏れ出るのを防止することができる。そして、少なくとも、光透過孔１１６が形成された光不透過層１１５がＵＶ光反応層１１２の上層に位置すれば、ＵＶ光反応層１１２が発する可視光が光透過孔１１６を通過し、キートップ１１０の外部に到達することができる。
【００６５】
図１２は、変形例４のキートップを示す模式図である。
キートップ１１０ａは、基材１１１ａ、バンドパスフィルタ１１３ａ、ＵＶ光反応層１１２ａ、光透過層１１４ａ、光透過孔１１６ａを有する光不透過層１１５ａがこの順に下層から上層へと積層されてなる。ＵＶ光反応層１１２ａが発した可視光の一部は、光透過層１１４ａ及び光透過孔１１６ａを通過してキートップ１１０ａの外部へと導出される。ＵＶ光反応層１１２ａが発した可視光の一部は、バンドパスフィルタ１１３ａに遮蔽される。これにより、可視光がキートップ１１０ａの周囲に漏れ出るおそれがない。
【００６６】
図１３は、変形例５のキートップを示す模式図である。
キートップ１１０ｂは、バンドパスフィルタ１１３ｂ、基材１１１ｂ、ＵＶ光反応層１１２ｂ、光透過層１１４ｂ、光透過孔１１６ｂを有する光不透過層１１５ｂがこの順に下層から上層へと積層されてなる。ＵＶ光反応層１１２ｂが発した可視光の一部は、光透過層１１４ｂ及び光透過孔１１６ｂを通過してキートップ１１０ｂの外部へと導出される。ＵＶ光反応層１１２ｂが発した可視光の一部は、基材１１１ｂを透過し、バンドパスフィルタ１１３ｂに遮蔽される。これにより、可視光がキートップ１１０ｂの周囲に漏れ出るおそれがない。
【００６７】
図１４は、変形例６のキートップを示す模式図である。
キートップ１１０ｃは、バンドパスフィルタ１１３ｃ、基材１１１ｃ、バンドパスフィルタ１１３ｃ、ＵＶ光反応層１１２ｃ、光透過層１１４ｃ、光透過孔１１６ｃを有する光不透過層１１５ｃがこの順に下層から上層へと積層されてなる。ＵＶ光反応層１１２ｃが発した可視光の一部は、光透過層１１４ｃ及び光透過孔１１６ｃを通過してキートップ１１０ｃの外部へと導出される。ＵＶ光反応層１１２ｃが発した可視光の一部は、バンドパスフィルタ１１３ｃに遮蔽される。これにより、可視光がキートップ１１０ｃの周囲に漏れ出るおそれがない。
【００６８】
図１５は、変形例７のキートップを示す模式図である。
キートップ１１０ｄは、バンドパスフィルタ１１３ｄ、ＵＶ光反応層１１２ｄ、基材１１１ｄ、光透過層１１４ｄ、光透過孔１１６ｄを有する光不透過層１１５ｄがこの順に下層から上層へと積層されてなる。ＵＶ光反応層１１２ｄが発した可視光の一部は、基材１１１ｄ、光透過層１１４ｄ及び光透過孔１１６ｄを通過してキートップ１１０ｄの外部へと導出される。ＵＶ光反応層１１２ｄが発した可視光の一部は、バンドパスフィルタ１１３ｄに遮蔽される。これにより、可視光がキートップ１１０ｄの周囲に漏れ出るおそれがない。
【００６９】
図１６は、変形例８のキートップを示す模式図である。
キートップ１１０ｅは、バンドパスフィルタ１１３ｅ、ＵＶ光反応層１１２ｅ、基材１１１ｅ、光透過層１１４ｅ、光透過孔１１６ｅを有する光不透過層１１５ｅ、光透過孔１１６ｅを有するバンドパスフィルタ１１３ｅがこの順に下層から上層へと積層されてなる。光不透過層１１５ｅ及びバンドパスフィルタ１１３ｅの各光透過孔１１６ｅは、互いに貫通する。ＵＶ光反応層１１２が発した可視光の一部は、基材１１１ｅ、光透過層１１４ｅ及び各光透過孔１１６ｅを通過してキートップ１１０ｅの外部へと導出される。ＵＶ光反応層１１２ｅが発した可視光の一部は、バンドパスフィルタ１１３ｅに遮蔽される。これにより、可視光がキートップ１１０ｅの周囲に漏れ出るおそれがない。
【００７０】
図１７は、変形例９のキートップを示す模式図である。
キートップ１１０ｆは、バンドパスフィルタ１１３ｆ、基材１１１ｆ、ＵＶ光反応層１１２ｆ、光透過層１１４ｆ、光透過孔１１６ｆを有する光不透過層１１５ｆ、光透過孔１１６ｆを有するバンドパスフィルタ１１３ｆがこの順に下層から上層へと積層されてなる。光不透過層１１５ｆ及びバンドパスフィルタ１１３ｆの各光透過孔１１６ｆは、互いに貫通する。ＵＶ光反応層１１２ｆが発した可視光の一部は、光透過層１１４ｆ及び各光透過孔１１６ｆを通過してキートップ１１０ｆの外部へと導出される。ＵＶ光反応層１１２ｆが発した可視光の一部は、基材１１１ｆを透過してバンドパスフィルタ１１３ｆに遮蔽される。これにより、可視光がキートップ１１０ｆの周囲に漏れ出るおそれがない。
【００７１】
図１８は、変形例１０のキートップを示す模式図である。
キートップ１１０ｇは、バンドパスフィルタ１１３ｇ、ＵＶ光反応層１１２ｇ、基材１１１ｇ、ＵＶ光反応層１１２ｇ、光透過層１１４ｇ、光透過孔１１６ｇを有する光不透過層１１５ｇがこの順に下層から上層へと積層されてなる。各ＵＶ光反応層１１２ｇが発した可視光の一部は、光透過層１１４ｇ及び光透過孔１１６ｇを通過してキートップ１１０ｇの外部へと導出される。各ＵＶ光反応層１１２ｇが発した可視光の一部は、バンドパスフィルタ１１３ｇに遮蔽される。これにより、可視光がキートップ１１０ｇの周囲に漏れ出るおそれがない。
したがって、上記の変形例４〜変形例１０によっても、調光による機器の光学的装飾性の向上を図れる。
【００７２】
＜変形例１１＞
上記実施形態では、光源ユニット１３０は、発光部１３１が発した光を導光板１３２が伝搬し、拡散板１３３がその光を各キートップ１１０の裏面に拡散させた。しかし、これに限定されない。各キートップの下方に発光部を配置し、導光板及び拡散板を用いずに、発光部から直接キートップの裏面に光を到達させてもよい。
【００７３】
＜その他の変形例＞
本実施形態では、照明装置を適用した電子機器として、ＰＣを採用した。これに代えて、ＰＣ外部接続用キーボード、携帯電話及び携帯型オーディオビジュアル機器等の端末装置、携帯ゲーム機器、ＰＤＡ（Personal Digital Assistance）、デジタルカメラ及びデジタルビデオカメラ等の撮像装置、オンスクリーンキーボード、電子辞書、ディスプレイ装置、オーディオ／ビジュアル機器、プロジェクタ、ゲーム機器、ロボット機器、その他の電化製品等を採用してもよい。
【００７４】
本実施形態では、照明装置として、バックライトキーボードを採用した。しかし、これに限定されない。照明装置は、本実施形態のキートップと同様の構成（内部にバンドパスフィルタを有し、バンドパスフィルタの少なくとも上層に光反応層を有し、光反応層の上層に光透過孔を有する光不透過層を有する構成）を有する部材と、光源ユニットとを有する装置であればよい。例えば、照明装置として、ＰＣ等の電子機器（キーボード以外の部分。例えば、ノート型ＰＣの表示画面の裏側のカバー部分）や、玩具等を採用してもよい。あるいは、照明装置として、光学的装飾や装飾的照明を主目的とした装置を採用してもよい。
【００７５】
なお、本技術は以下のような構成も採ることができる。
（１）第１の波長の光を発する光源と、
前記光源からの光に励起されて、第２の波長の可視光を発する第１の光反応部と、
前記光源と前記第１の光反応部との間に配置され、前記第１の波長の光を透過させ、前記第１の光反応部が発した前記第２の波長の可視光を遮蔽するフィルタ部と、
前記第１の光反応部が発した前記第２の波長の可視光の一部を透過させる光透過部を有するカバー部と
を具備する電子機器。
（２）上記（１）に記載の電子機器であって、
前記光透過部は、前記光第１の反応部を挟んで、前記フィルタ部と反対側に位置する
電子機器。
（３）上記（１）又は（２）に記載の電子機器であって、
前記カバー部は、ユーザにより操作される操作面を有し、
前記光透過部は、前記操作面に設けられる
電子機器。
（４）上記（１）から（３）のいずれか１つに記載の電子機器であって、
前記光源は、前記第１の波長の光として不可視光を発する
電子機器。
（５）上記（１）から（４）のいずれか１つに記載の電子機器であって、
前記光源と、前記フィルタ部との間に配置され、前記光源からの前記第１の波長の光に励起されて、前記第２の波長の可視光と異なる第３の波長の可視光を発する第２の光反応部をさらに具備し、
前記フィルタ部は、さらに、前記第２の光反応部が発した前記第３の波長の可視光を遮蔽する
電子機器。
（８）上記（１）から（６）のいずれか１つに記載の電子機器であって、
前記フィルタ部は、前記第１の光反応部が発した前記第２の波長の可視光の一部を透過させる
電子機器。
【符号の説明】
【００７６】
１…パーソナルコンピュータ
１００…バックライトキーボード
１１０、１１０ａ〜１１０ｇ、２１０、３１０、４１０…キートップ
１１１、１１１ａ〜１１１ｇ…基材
１１２、１１２ａ〜１１２ｇ、３１２、３１８、４１２…ＵＶ光反応層
１１３、１１３ａ〜１１３ｇ、２１３、３１３、４１３…バンドパスフィルタ
１１４、１１４ａ〜１１４ｇ…光透過層
１１５、１１５ａ〜１１５ｇ…光不透過層
１１６、１１６ａ〜１１６ｇ、２１６、３１６、４１６…光透過孔
１１９，２１９、３１９、４１９…カバー部
１３０、２３０、３３０、４３０…光源ユニット
【図１】
2014041440.tif 000003
【図２】
2014041440.tif 000004
【図３】
2014041440.tif 000005
【図４】
2014041440.tif 000006
【図５】
2014041440.tif 000007
【図６】
2014041440.tif 000008
【図７】
2014041440.tif 000009
【図８】
2014041440.tif 000010
【図９】
2014041440.tif 000011
【図１０】
2014041440.tif 000012
【図１１】
2014041440.tif 000013
【図１２】
2014041440.tif 000014
【図１３】
2014041440.tif 000015
【図１４】
2014041440.tif 000016
【図１５】
2014041440.tif 000017
【図１６】
2014041440.tif 000018
【図１７】
2014041440.tif 000019
【図１８】
2014041440.tif 000020